【事件の表示】
　特願２００７−１９０４３７「電気光学装置および電子機器」拒絶査定不服審判事件〔平成２１年　２月　５日出願公開，特開２００９−　２６６７１〕について，次のとおり審決する。
【結　論】
　本件審判の請求は，成り立たない。
【理　由】
１　手続の経緯
　本願は，平成１９年７月２３日の出願であって，平成２４年１月５日付けで拒絶理由が通知され，同年３月１６日に意見書及び手続補正書が提出され，同年１０月１５日付けで拒絶理由が通知され，同年１２月１９日に意見書及び手続補正書が提出されたが，平成２４年１２月１９日提出の手続補正書による補正が平成２５年６月１１日付けで却下されるとともに，同日付けで拒絶査定がなされたところ，同年９月６日に拒絶査定不服審判が請求されると同時に手続補正書が提出され，当審において，平成２６年６月１８日付けで拒絶の理由が通知され，同年８月２５日に意見書及び手続補正書が提出されたものである。
　
２　本願発明
（１）本願の請求項１ないし７に係る発明は，平成２６年８月２５日提出の手続補正書によって補正された特許請求の範囲の請求項１ないし７によって特定されるものであるところ，請求項１の記載は次のとおりである。（なお，下線は，次項で検討を行う箇所を示す。）
　
「第１の発光領域，第２の発光領域および第３の発光領域を有し，前記第２の発光領域は，第１の方向において，前記第１の発光領域と隣り合って配置され，前記第３の発光領域は，前記第１の方向とは異なる第２の方向において，前記第１の発光領域と隣り合って配置された電気光学装置であって，
　前記第１の発光領域，前記第２の発光領域および前記第３の発光領域を区画するように設けられた第１のバンクと，
　前記第１のバンク上に配置され，前記第１の発光領域及び前記第３の発光領域と前記第２の発光領域とを区画するように設けられた第２のバンクと，
　前記第１のバンクに区画された各々の発光領域に設けられた発光層と，を備え，
　各々の前記発光領域は，前記第２の方向に沿った直線状の第１の辺と，前記第１の方向に沿った前記第１の辺より短い円弧状である第２の辺と，を有し，
　
前記バンク
間第
間第
　前記第１の部分の液体に対する撥液性は，前記第２の部分の前記液体に対する撥液性よりも高いことを特徴とする電気光学装置。」
　
（２）請求項１の記載中の「前記バンク」なる記載が，「第１のバンク」を指すのか，「第２のバンク」を指すのか，それとも，「第１のバンク」及び「第２のバンク」の双方を指すのかが，特許請求の範囲の記載からは明確に特定できないから，本願明細書の記載及び図面を参酌する。
　ア　本願明細書の発明の詳細な説明には，請求項１に係る発明の実施形態について，次のとおりの記載がある（なお，下線は，請求項１に記載の「前記バンク」が指し示す内容を検討する上で特に関係する箇所を示す。）。
（ア）「【００４１】
　（第１実施形態）
　　図１は，第１実施形態の電気光学装置としての有機ＥＬ装置の一部の構造を示す模式断面図である。図２は，有機ＥＬ装置におけるバンクが形成された段階でのバンクの構造を示す模式図である。（ａ）は，有機ＥＬ装置を上方から見た模式平面図である。（ｂ）は，（ａ）に示す有機ＥＬ装置のＡ−Ａ断面に沿う模式断面図である。（ｃ）は，（ａ）に示す有機ＥＬ装置のＢ−Ｂ断面に沿う模式断面図である。なお，図１は，各構成要素の断面的な位置関係を示すものであり，相対関係は度外視されている。以下，有機ＥＬ装置の構造を，図１〜図２を参照しながら説明する。
・・・（中略）・・・
　【００４７】
　発光素子層１５は，マトリックス状に配置された発光素子を具備してガラス基板１３上に形成されている。詳述すると，発光素子層１５は，画素電極３２上に形成された機能層３３と，機能層３３を区画するバンク３４とを主体として構成されている。機能層３３上には，陰極１６が配置されている。画素電極３２と，機能層３３と，陰極１６とによって発光素子が構成されている。
　【００４８】
　バンク３４は，例えば，平面に見て開口部３５がトラック状に形成されている（図２（ａ）参照）。詳述すると，バンク３４の開口部３５は，アスペクト比の異なる発光領域１２と，発光領域１２の短辺側に形成された円弧４４の領域とを有する。
　【００４９】
　また，
バンク３４は，ガラス基板１３側に位置する第１層バンク４１と，第１層バンク４１よりもガラス基板１３から離れて位置する第２層バンク４２とが積層されて構成されている。
　【００５０】
　第１層バンク４１は，隣り合う画素電極３２間の絶縁性を確保するために，画素電極３２の周縁部上に乗り上げるように形成されている。つまり，画素電極３２と第１層バンク４１は，平面的に一部が重なるように配置された構造となっている（図２（ａ）での図示は省略する）。言い換えれば，
第１層バンク４１は，発光領域１２を除いた領域に形成されている
　【００５１】
　本実施形態では第１層バンク４１を画素電極３２の周縁部上に乗り上げるように形成したが，第１層バンク４１の側面を第２層バンク４２の側面と面一となるように形成してもよい。この場合，第１層バンク４１を画素電極３２の周縁部上に乗り上げるように形成した場合に比べて，発光領域１２を広く形成することができる。
　【００５２】
　一方，第２層バンク４２は，例えば，断面に見て傾斜面を有する台形状に形成されている。また，
第２層バンク４２は，第１部分４２ａと第２部分４２ｂとを有し，第１部分４２ａの撥液性が第２部分４２ｂの撥液性より相対的に低くなっている。
　【００５３】
　ここで，「撥液性が低い」とは，液体との接触角が相対的に小さいことを指す。つまり，撥液性を低くした円弧４４の領域（図２（ａ）参照）に，液体が充填しやすくなったと言える。一方，「撥液性が高い」とは，液体との接触角が相対的に大きいことを指す。つまり，撥液性を高くした直線４５の部分（図２（ａ）参照）から外部に，液体が溢れにくくなったと言える。第２層バンク４２の詳細な材料及び製造方法については後述する。
・・・（中略）・・・
　【００７７】
　以上詳述したように，第１実施形態によれば，以下に示す効果が得られる。
　【００７８】
　（１）第１実施形態によれば，
第２層バンク４２の開口部３５のうち，比較的機能液が充填しにくい円弧４４の部分が撥液性の低い第１部分４２ａとなっている
開口部３５の直線４５の部分が撥液性の高い第２部分４２ｂとなっている
　
（イ）「【００８０】
　（第２実施形態）
　　図５は，第２実施形態の有機ＥＬ装置の製造方法を示す工程図である。以下，有機ＥＬ装置の製造方法を，図５を参照しながら説明する。なお，第２実施形態の有機ＥＬ装置１１の製造方法は，第２層バンク４２の第１部分４２ａにアクリル系樹脂（第１材料）を用い，第２部分４２ｂにフッ素系材料が添加されたアクリル系樹脂（第２材料）を用いる部分が，第１実施形態と異なっている。以下，第１実施形態と同じ構成部材には同一符号を付し，ここではそれらの説明を省略又は簡略化する。
　【００８１】
　まず，第２実施形態の有機ＥＬ装置１１の構造を説明する。有機ＥＬ装置１１は，上記したように，例えば，
第２層バンク４２の開口部３５における円弧４４を含む第１領域が，アクリル系材料からなる第１部分４２ａとなっている。また，第２層バンク４２の開口部３５における直線４５を含む第２領域が，フッ素系材料を添加したアクリル系材料からなる第２部分４２ｂとなっている。
　【００８２】
　ここで，アクリル系材料に添加されるフッ素について説明する。フッ素は，極めて低い表面エネルギーを有するものであり，このため，フッ素を多く含有する物質の表面は，臨界表面張力がより小さくなる。したがって，フッ素の含有量の多い物質の表面の臨界表面張力に比較して，フッ素の含有量の少ない物質の表面の臨界表面張力は大きくなる。これはすなわち，フッ素含有量の少ない物質の表面は，フッ素含有量の多い物質の表面に比較して親液性領域となっていることを意味する。以下，第２実施形態の有機ＥＬ装置１１の製造方法を説明する。なお，ステップＳ１〜ステップＳ３までの工程は，第１実施形態と同様である。
　【００８３】
　ステップＳ２１では，
第１層バンク４１上に，第２層バンク４２の第１部分４２ａを形成する。撥液性の低い第１部分４２ａ
　【００８４】
　ステップＳ２２では，
第１層バンク４１上の第１部分４２ａに隣接して，第２部分４２ｂを形成する。撥液性の高い第２部分４２ｂ
　【００８５】
　以上により，アクリル系樹脂からなる第１部分４２ａ，フッ素系材料が添加されたアクリル系樹脂からなる第２部分４２ｂを有する第２層バンク４２が完成する。」
　
（ウ）「【００８８】
　（第３実施形態）
　　図６は，第３実施形態の有機ＥＬ装置の製造方法を示す工程図である。以下，有機ＥＬ装置の製造方法を，図６を参照しながら説明する。なお，第３実施形態の有機ＥＬ装置１１は，
第１部分４２ａに相当する第１領域に施すプラズマ処理時間と比較して，第２部分４２ｂに相当する第２領域に施すプラズマ処理時間を長くする（回数を多くする）ことにより，撥液性の低い第１部分４２ａと撥液性の高い第２部分４２ｂと分ける
　【００８９】
　ステップＳ３１では，
第１層バンク４１を含むガラス基板１３上に第２層バンク４２を形成する
　【００９０】
　ステップＳ３２では，第２層バンク層から
第２層バンク４２の形状にパターンニングする
　【００９１】
　ステップＳ３３では，
第２層バンク４２において，撥液性の低い第１部分４２ａと，撥液性の高い第２部分４２ｂとを形成する。
・・・（中略）・・・
　【００９４】
　以上により，撥液性の低い第１部分４２ａと，撥液性の高い第２部分４２ｂとを有する第２層バンク４２が完成する。」
　
　イ　前記ア（ア）ないし（ウ）から，本願明細書に記載された請求項１に係る発明の実施形態は，いずれも，第１層バンク４１上に第２層バンク４２が形成され，当該第２層バンクが，撥液性の低い第１部分４２ａと撥液性の高い第２部分４２ｂとを有していて，第１層バンクには撥液性の低い部分と撥液性の高い部分が存在しないことを把握できる。
　また，本願明細書の発明の詳細な説明の前記ア（ア）ないし（ウ）以外の箇所にも，第２層バンクの下層である第１層バンクに撥液性の低い部分と撥液性の高い部分が存在することは，記載も示唆もされていない。
　
（３）請求項１に記載された「第１のバンク」は，「第２のバンク」が「第１のバンク上に配置され」たものであり，請求項１に記載された「前記バンク」は，「第２の部分」と，「液体に対する撥液性」が「第２の部分の前記液体に対する撥液性よりも高い」「第１の部分」とを有しているところ，前記（２）イに照らせば，請求項１に記載された「第１のバンク」が本願明細書に記載された第１ないし第３実施形態の「第１層バンク４１」に対応する発明特定事項であり，請求項１に記載された「前記バンク」が本願明細書に記載された第１ないし第３実施形態の「第２層バンク４２」に対応する発明特定事項であって，「前記バンク」は，「第１層バンク４１」に対応する「第１のバンク」でも当該「第１のバンク」及び「第２のバンク」の双方でもなく，「第２層バンク４２」に対応する「第２のバンク」を指していると解するほかない。
　したがって，本願の請求項１に係る発明は，「前記バンク」について明確にし，かつ，明らかな誤記を訂正した次のとおりのものと認められる（なお，下線は訂正箇所を示す。）。
　
「第１の発光領域，第２の発光領域および第３の発光領域を有し，前記第２の発光領域は，第１の方向において，前記第１の発光領域と隣り合って配置され，前記第３の発光領域は，前記第１の方向とは異なる第２の方向において，前記第１の発光領域と隣り合って配置された電気光学装置であって，
　前記第１の発光領域，前記第２の発光領域および前記第３の発光領域を区画するように設けられた第１のバンクと，
　前記第１のバンク上に配置され，前記第１の発光領域及び前記第３の発光領域と前記第２の発光領域とを区画するように設けられた第２のバンクと，
　前記第１のバンクに区画された各々の発光領域に設けられた発光層と，を備え，
　各々の前記発光領域は，前記第２の方向に沿った直線状の第１の辺と，前記第１の方向に沿った前記第１の辺より短い円弧状である第２の辺と，を有し，
　前記
第２の
の
の
　前記第１の部分の液体に対する撥液性は，前記第２の部分の前記液体に対する撥液性よりも高いことを特徴とする電気光学装置。」（以下「本願発明」という。）
　
３　当審で通知した拒絶理由の概要
　当審において平成２６年６月１８日付けで通知した拒絶の理由のうち，請求項１に係る発明に対して通知した拒絶の理由（以下「当審拒絶理由」という。）の概要は，本願の請求項１に係る発明は，特開２００６−１６２８８２号公報及び特開２００５−３２６７９９号公報に記載された発明に基づいて，当業者が容易に発明をすることができたものであるから，特許法２９条２項の規定により特許を受けることができない，というものである。
　
４　引用例
（１）特開２００５−３２６７９９号公報
　ア　特開２００５−３２６７９９号公報の記載
　前記当審拒絶理由で引用した特開２００５−３２６７９９号公報（以下「引用刊行物１」という。）は，本願の出願前に頒布された刊行物であって，当該引用刊行物１には次の記載がある（なお，下線は，後述する引用発明の認定に特に関係する箇所を示す。）。
（ア）「【技術分野】
【０００１】
　本発明は，薄膜を用いて構成される電気光学装置とこの電気光学装置に使用される電気光学装置用基板，および半導体装置に関するものである。また，これらの製造方法及び電気光学装置を用いた電子機器に関するものである。
【背景技術】
【０００２】
　近年，有機エレクトロルミネッセンス（以下，ＥＬという）素子やカラーフィルタなどの製造工程において，インクジェットプロセス（液滴吐出法を用いた製造方法）を用いたパターン形成方法が注目されている。例えば有機ＥＬ薄膜を用いた電気光学装置では，この製造方法を用い，表示基板上の所定の領域に所定のパターンで複数の画素を形成し，各画素における発光を制御することによって表示を行っている。以下では，インクジェットプロセスを用いた薄膜形成方法について，有機ＥＬ薄膜を用いた電気光学装置の場合を例に説明をする。
【０００３】
　図２８は，従来の電気光学装置の画素部の要部断面図であり，図２９は，従来の電気光学装置における薄膜形成時における乾燥工程を模式的に示す図である。上述したように，有機ＥＬ薄膜は基板上に所定のパターンで所定の区画ごと作製される。
基板上には，インクジェットプロセスによる有機ＥＬ薄膜の吐出された液体材料（薄膜材料液）が隣接する画素に流出しないように，断面形状が凸状の仕切部材（以下，隔壁という）２４２が互いに隣接する画素間に設けられている。
【０００４】
　このような隔壁によって囲まれた各発光領域に，インクジェットプロセスを用い薄膜材料液が充填される。最初の状態は液滴の表面が，図２９の線分Ｌ１に示されるように第２の隔壁２４４の上面より盛り上がっている。しかし，この薄膜材料液を乾燥させることによって，液滴の表面が線分Ｌ１〜線分Ｌ４に示されるように徐々に下がり，最終的には表面が線分Ｌ４で示されるような薄膜２４５が形成される。なお，この乾燥課程において，液滴は第２の隔壁２４４の表面ではじかれ，第１の隔壁２４３の表面及び画素電極の表面ではなじむので，画素電極上の液滴充填領域ＲＳ内にほぼ平坦な有機ＥＬ薄膜が形成される。（特許文献１参照）
【０００５】
【特許文献１】特許第３３２８２９７号公報
【発明の開示】
【発明が解決しようとする課題】
【０００６】
　しかし，上記方法は図３０に示すように，両端が半円状である細長い形状の発光領域を形成する場合や，図３１に示すような角部を有する発光領域を隔壁２４２内に形成する場合には，画素電極上に均一な膜厚の有機ＥＬ薄膜を形成できないという問題がある。
【０００７】
　すなわち，図３０に示すように
発光領域が細長い楕円形である場合には，インクジェットプロセスにより充填した薄膜材料液滴２５０は，
中央近傍に溜まってしまう
長手方向の両端部近傍で
有機ＥＬ薄膜の膜厚が薄くなり，発光領域の中央では膜厚が厚くなる
１つの画素内における発光輝度の不均一が生じるという問題
【０００８】
　本発明は，上記課題を鑑みてなされたものであり，隔壁に囲まれた区画領域内において均一な膜厚，均一な膜質にて機能薄膜層を形成し得る構造を具備し，もって発光輝度の均一性が良好な表示を可能とした電気光学装置，及び，これを用いた電子機器を提供することを目的としている。また，これらを製造するための製造方法を提供することを他の目的としている。」
　
（イ）「【課題を解決するための手段】
【０００９】
・・・（中略）・・・
【００１３】
　また，上述した課題を解決し，その目的を達成するために，本発明による電気光学装置は，所定の領域を区画する隔壁で囲われた薄膜形成面に薄膜が形成されてなる電気光学装置であって，該薄膜形成面と略平行であり，かつ第２隔壁によって被覆されていない平坦面を有し，かつ表面が親液性を有する第１隔壁と，前記第１隔壁上に積層設置され，前記第１隔壁の平坦面の露出面積が前記所定の領域内において異なるよう形成され，かつ表面が撥液性を有する第２隔壁と，前記第１隔壁と第２隔壁で囲まれた領域内に形成された機能薄膜層とを備えていることを特徴とする。
【００１４】
　本発明においては，第１隔壁の平坦面の露出面積が所定の領域内において異なるように構成する。第１隔壁の平坦面の露出面積が大きい部分では，薄膜材料液は乾燥する際に該第１隔壁の平坦面側に強く引っ張られた状態で乾燥する。この事により，薄膜材料液が表面張力により第１隔壁及び第２隔壁で囲まれた領域の中央部に集まることが防止され，薄膜材料液は第１隔壁及び第２隔壁で囲まれた領域の中央部と周縁部とで，膜厚のばらつきを生じることなく乾燥する。
【００１５】
　その結果，薄膜は第１隔壁及び第２隔壁で囲まれた領域の隅々まで膜厚が均一な状態にあるので，膜厚が均一な機能薄膜層（発光層）を得ることができ，薄膜の膜厚ばらつきに起因する画素内の発光輝度の不均一，ばらつきが生じることが無い。したがって，本発明にかかる電気光学装置は，品質低下のない高品質な電気光学装置を提供できるという効果がある。
・・・（中略）・・・
【００１８】
　また，本発明の好ましい態様によれば，隔壁で囲われた薄膜形成面が細長い形状となるように第１隔壁を形成し，細長い形状の長手方向における両端部近傍の第１隔壁の平坦面の露出面積が，該両端部近傍以外の部分の第１隔壁の平坦面の露出面積よりも大きくなるように第２隔壁を形成することを特徴とする。これにより隔壁に囲まれた細長い形状の領域内の隅々まで，膜厚の均一性の良好な状態で薄膜を簡便且つ確実に形成することができる。例えば半円と長方形組み合わせた細長い形状を有する画素において，画素領域内の隅々まで，膜厚の均一性の良好な状態で機能薄膜層（発光層）を確実に形成することができる。その結果，機能薄膜層（発光層）の膜厚のばらつきに起因した品質低下のない，高品質な電気光学装置を提供できる。
【００１９】
　また，本発明の好ましい態様によれば，細長い形状の長手方向における両端部近傍の第２隔壁の開口部が円弧状であり，細長い形状の長手方向における両端部近傍の第２隔壁の傾斜角が，該両端部近傍以外の部分の傾斜角と比して小さくなるように第２隔壁を形成することを特徴とする。すなわち，細長い形状の長手方向の両端部近傍に形成された略円弧の第２隔壁の傾斜角を，細長い形状の直線部（長辺部）近傍に形成された第２隔壁の傾斜角と比較して低く形成する。例えば，有機樹脂を含む液体から第２隔壁を形成する場合，第２隔壁材料の圧縮応力は直線部分に加わる応力に比べて円弧部に加わる応力が強くなるので，細長い形状の直線部（長辺部）近傍より，細長い形状の長手方向の両端部の略円弧状に形成された第２隔壁の傾斜角が小さくなる。このようにすることにより，薄膜材料を含む液面と第１隔壁により囲まれた薄膜形成領域との間隔を遠ざけることができ，したがって薄膜材料液が表面張力により薄膜形成面の中央部に集まることが防止される。
・・・（中略）・・・
【００２７】
　本発明の電気光学装置では，前記
第１隔壁層が，無機材料を主体としてなり，前記第２隔壁層が，有機材料を主体としてなるもの
　
（ウ）「【００４８】
　以下，図面を参照しながら，本発明にかかる電気光学装置，半導体装置，電気光学装置用基板，そしてこれらを作製する電気光学装置の製造方法，半導体装置の製造方法，電気光学装置用基板の製造方法，並びに電子機器について説明する。以下においては，電気光学装置の発光層に半導体薄膜である有機ＥＬ薄膜を使用した有機エレクトロルミネッセンス（ＥＬ）表示装置を例に挙げて説明するが，本発明は以下の記述に限定されるものではなく，適宜変更が可能である。また，以下の実施例で用いられる電気光学装置の断面図は模式的なものであり，層の厚みと幅との関係や各層の厚みの比率などは現実のものとは異なる。
【００４９】
〔実施例１−１〕
＜電気光学装置，半導体装置，電気光学装置用基板＞
　図１は，本実施例にかかる電気光学装置の配線構造の平面模式図である。この図に示されるように，電気光学装置１は，
複数の走査線１０１と，走査線１０１に対して空間を隔てて略直角に交差する方向に延びる複数の信号線１０２と，信号線１０２に並列に延びる複数の電源線１０３とが，それぞれ配線された構成を有する。そして，走査線１０１と信号線１０２の各交点に，マトリックス状に画素領域
が設けられている
・・・（中略）・・・
【００５１】
　
画素領域
のそれぞれには，走査線１０１を介して走査信号がゲート電極に供給されるスイッチング用ＴＦＴ１１２と，このスイッチング用ＴＦＴ１１２を介して信号線１０２から供給される画素信号を保持する保持容量ｃａｐと，この保持容量ｃａｐによって保持された画素信号がゲート電極に供給される駆動用ＴＦＴ１１３と，この駆動用ＴＦＴ１１３を介して電源線１０３から駆動電流が流れ込む画素電極
４１と，この画素電極４１と対になる対向電極
４６と，両者の間に挟み込まれた機能層４５とが設けられ
これらの画素電極４１と対向電極４６，および，機能層４５によって発光素子部が構成され
・・・（中略）・・・
【００５３】
　図２及び図３は，本実施例にかかる電気光学装置の画素領域Ａの構造を模式的に示す断面図であり，図２は，図１における機能層４５および駆動用ＴＦＴ１１３のより詳細な構造を示す断面図である。また，図３は，画素領域Ａのうち１つの画素を模式的に示す平面図である。図３に示すように１つの画素は細長い形状を有する略矩形とされ，その周縁部には４つの角部を有している。そして，後述する第１隔壁４３に囲まれた領域が発光領域となる。なお，本発明においては，後述する
隔壁
に囲まれた領域全体を１つの画素と定義する
・・・（中略）・・・
【００５５】
　
駆動素子部２０は，スイッチング用ＴＦＴ１１２，駆動用ＴＦＴ１１３，その他の素子や配線を含んで構成され
【００５７】
　隔壁４２は，所定の領域，すなわち機能層４５を形成する際に薄膜材料液が充填される液滴充填領域ＲＳを取り囲むように駆動素子部２０上に形成され，その表面が薄膜材料液に対して良好な親液性を有する第１隔壁４３と，第１隔壁４３上に形成され，かつその表面が薄膜材料液に対して撥液性を有する第２隔壁４４とから構成されている。第１隔壁４３の開口上部は開口下部よりも広く形成されている。すなわち，第１隔壁４３の側面は，基板表面に垂直な方向に対して傾斜部４３ａを有するように形成されている。同様に，第２隔壁４４の開口上部は開口下部よりも広く形成されている。すなわち，第２隔壁４４の側面も，基板表面に垂直な方向に対して傾斜部４４ａを有するように形成されている。
【００５８】
　また，第１隔壁４３の開口上部は，第２隔壁４４の開口下部よりも機能層４５の面内の中心側に位置している。換言すると，第２隔壁４４は上部から見て第１隔壁の平坦面４３ｂが露出するように第１隔壁４３上に形成されている。すなわち，図２に示されるように，隔壁４２を構成する第１隔壁４３と第２隔壁４４の断面形状は階段状となっている。
【００５９】
　また，第１隔壁４３は開口部の外周部，すなわち機能層４５の外周部に第１隔壁の平坦面４３ｂ，４３ｂ´を有しており，この平坦面４３ｂは機能層４５の角部近傍が略円弧状に形成されている。そして，角部近傍の第１隔壁の平坦面４３ｂ´は，直線部（長辺部，短辺部）近傍に形成された第１隔壁の平坦面４３ｂよりも面積が大とされ，親液性の第１隔壁４３の面積が広く確保されている。第２隔壁４４は，第１隔壁の平坦面４３ｂ，４３ｂ´の外周に沿って傾斜部４４ａが立ち上がり，その外周部に平坦な面が形成されている。第１隔壁の角部に形成された略円弧状の第２隔壁の傾斜角は，開口部の直線部（長辺部，短辺部）近傍に形成された第２隔壁の傾斜角と比較して低くなっている。一般に有機樹脂を含む液体から第２隔壁を形成する場合，第２隔壁材料の圧縮応力は直線部分に加わる応力に比べて円弧部に加わる力が強くなる。したがって，開口部の直線部（長辺部，短辺）近傍より，略円弧状に形成された第２隔壁の傾斜角が小さくなる。このようにすることにより，薄膜材料を含む液面と第１隔壁により囲まれた薄膜形成領域との間隔を遠ざけることができる。その結果，薄膜材料液が表面張力により開口部の中央部に集まることが防止できる。
【００６０】
　この
第１隔壁４３は
ＳｉＯ
２
やＴｉＯ
２
などの無機材料
第２隔壁４４は
ポリイミドやアクリルなどの有機材料
・・・（中略）・・・
【００８２】
　次に，機能層形成工程（Ｓ６）では，
インクジェットによる液滴吐出法を用い
正孔輸送層
を構成する材料組成物を液滴充填領域Ｒ
Ｓ
内に充填して乾燥させ
【００８３】
　次に
発光層
を構成する材料組成物が含まれた薄膜材料液を，液滴充填領域Ｒ
Ｓ
内の正孔輸送層４５ａ上に充填して乾燥させ，
乾燥後の機能層４５の膜厚が第１隔壁４３の厚みと略同等となる
【００８４】
　本発明では，前述したように第２隔壁から露出した第１隔壁の平坦面のうち第１隔壁４３の開口部の角部，すなわち機能層４５の角部近傍を略円弧状とし，平坦面４３ｂ´の角部近傍を，開口部の直線（長辺部，短辺部）近傍４３ｂより面積が大きくなるように設計している。そのため，発光材料液は面積が広く確保された略円弧状の第１隔壁平坦面４３ｂ´により，開口部の外周側に強く引っ張られながら乾燥するので，薄膜材料液が表面張力により開口部の中央部に集まることが防止される。
【００８５】
　一般的に，薄膜が液層から固相になる際には液体に圧縮応力が加わる。この圧縮応力は直線部分に加わる応力に比べて円弧部に加わる応力が強くなる。したがって，開口部の直線（長辺部，短辺部）近傍より，開口部の角部近傍の略円弧状とされた第１隔壁の平坦面４３ｂ´において強い圧縮応力が薄膜材料液に加わり，薄膜材料液の液滴外縁部のテーパー角が小さくなる。テーパー角が小さくなることにより液面が広範囲に濡れ広がり，薄膜材料液が表面張力により開口部の中央部に集まることが防止される。
　その結果，発光層４５ｂは，第１隔壁４３に囲まれた領域（第１隔壁４３の開口部領域）の角部の隅々まで，全体的に膜厚が均一な状態で形成され，発光層４５ｂの膜厚のばらつきに起因した１つの画素内における発光輝度の不均一，ばらつきを生じることが防止される。
・・・（中略）・・・
【００９５】
〔実施例２−１〕
＜電気光学装置＞
　図１１及び図１２は，本実施例にかかる
電気光学装置１の画素領域Ｂ
画素領域Ａ
のうち１つの画素
１つの画素は細長い形状を呈し，長手方向の両端が円弧状形状とされ
第１隔壁５２に囲まれた領域が発光領域とされ
電気光学装置１は，基板１０と，この基板１０上にＴＦＴなどの能動素子や配線が形成された駆動素子部２０と，有機ＥＬ薄膜が形成される機能素子部４０とからなる
【００９６】
　
機能素子部４０は，発光層と正孔注入層とからなる機能層４５と，機能層４５を動作させるための一対の電極４１
，４６
と，機能層４５を所定の領域に形成するための隔壁５１と，機能層４５を周囲の雰囲気から遮断するためのシール層４７とを備えて
【００９７】
　
隔壁５１は，機能層４５を形成する際の液滴充填領域Ｒ
Ｓ
を形成し，その表面が薄膜材料液に対して良好な親液性を有する第１隔壁５２と，第１隔壁５２上に形成され，その表面が薄膜材料液に対して撥液性を有する第２隔壁５３とから構成され
第１隔壁５２の開口上部は開口下部よりも広く形成されている。すなわち，第１隔壁５２の側面は，基板表面に垂直な方向に対して傾斜部５２ａを有するように形成されている。同様に，第２隔壁５３の上部開口は下部開口よりも広く形成され，第２隔壁５３の側面も，基板表面に垂直な方向に対して傾斜５３ａするように形成され
【００９８】
　また，
第１隔壁５２の開口上部は，第２隔壁５３の開口下部よりも機能層４５の面内の中心側に位置して
第２隔壁５３は上部から見て第１隔壁の平坦面
が露出するように第１隔壁５２上に形成され
【００９９】
　また，第１隔壁５２は該
第１隔壁５２の開口部
開口部の長手方向の両端が略半円状に形成され
開口部の長手方向の両端近傍の第１隔壁の平坦面５２ｂ´は，開口部の直線部（長辺部）近傍に形成された第１隔壁の平坦面５２ｂよりも面積が大とされており，表面が親液性を有する第１隔壁の面積が広く確保され
【０１００】
　さらには，この
第１隔壁の平坦面５２ｂ´の幅
Ｌ２は，第１隔壁の平坦面５２ｂの幅
Ｌ１よりも長く形成されて
これにより
略円弧状に形成された第２隔壁の傾斜角が，開口部の直線部（長辺部）の傾斜角と比較して低くなる
隔壁傾斜角は開口部の直線部（長辺部）近傍より，両端の略円弧状に形成された第２隔壁が小さくなる
このようにすることにより，薄膜材料を含む液面と第１隔壁により囲まれた薄膜形成領域との間隔を遠ざけることができる。したがって，薄膜材料液が表面張力により開口部の中央部に集まることが防止される
【０１０１】
　上記画素領域では，
機能層４５全体の膜厚は第１隔壁５２の厚みと略同等の厚みに形成され
【０１０２】
＜電気光学装置の製造方法＞
　次に，本実施例にかかる電気光学装置１の製造方法の一例について説明する。製造方法の基本的な流れは上述した実施例１と同様であるため，実施例１と異なる部分について説明する。
【０１０３】
　第１隔壁形成工程（Ｓ３）では，パターニングした画素電極（陽極）４１上および第３の層間絶縁膜２８上に
第１隔壁５２となる薄膜として，例えばＳｉＯ
２
膜
【０１０４】
　第２隔壁形成工程（Ｓ４）では，図１３−３及び図１３−４に示すように，機能層４５の形成領域を囲うように第２隔壁５３を形成する。　ここで，第２隔壁５３は，上部から見て第１隔壁５２の上面部が露出するように，第１隔壁の平坦面５２ｂ，５２ｂ´を露出させて第１隔壁５２上に形成される。そして，第２隔壁５３は，第１隔壁５２の開口部の長手方向の両端部，すなわち機能層４５の長手方向の両端部近傍を略半円状とするようにパターニングして形成する。このように第２隔壁５３を形成することにより，開口部の長手方向の両端部近傍の第１隔壁の平坦面５２ｂ´は，開口部の直線部（長辺部）近傍の第１隔壁の平坦面５２ｂよりも面積が大とされ，親液性の第１隔壁５２の面積を広く確保することができる。
【０１０５】
　そして，本実施例においては，第１隔壁５２の開口部長手方向両端における平坦面５２ｂ´の幅（第１隔壁５２の長手方向の端部と第２隔壁４４の開口下部との距離）Ｌ２が，第１隔壁５２の開口部の直線部（長辺部）におけるの平坦面５２ｂの幅（第１隔壁５２の開口部の長辺と第２隔壁４４の開口下部との距離）Ｌ１よりも長くなるように形成する。Ｌ２をＬ１よりも長くすることにより，開口部の両端部近傍の平坦面５２ｂ´の面積を，開口部の直線部の平坦面５２ｂよりも大きくし，親液性の第１隔壁５２の面積を広く確保することができる。本実施例においては，開口部の長手方向の両端部が円弧状形状とされているが，この形状が直線状とされる場合も同様である。
【０１０６】
　上述したように本実施例においては，第１隔壁の平坦面のうち第１隔壁５２の開口部の長手方向の両端部，すなわち機能層４５の長手方向の両端部近傍が略半円状とされることにより
第１隔壁の平坦面５２ｂ´は開口部の直線部（長辺部）近傍に形成された第１隔壁の平坦面５２ｂよりも面積が大とされ，親液性の第１隔壁５２の面積が広く確保されている。これにより，発光層４５ｂの薄膜材料液は，面積が広く確保された略半円状の第１隔壁の平坦面５２ｂ´により開口部の外周側に強く引っ張られながら乾燥する。そして，引っ張られながら乾燥することにより，薄膜材料液が表面張力により開口部の中央部に集まることが防止される
【０１０７】
　一般的に薄膜膜が液層から固相になる際には圧縮応力が加わり，この圧縮応力は直線部分に加わる応力に比べて円弧部に加わる応力が強くなる。したがって，開口部の直線部（長辺部）より，開口部が略半円状とされた第１隔壁の平坦面５２ｂ´での液滴の接触角が小さくなり，液滴が広範囲に濡れ広がり，開口部の中央部に集まることが防止される。
　その結果，発光層４５ｂは，第１隔壁５２に囲まれた領域の隅々まで膜厚が均一な状態で形成され，膜厚のばらつきに起因する１つの画素内における発光輝度の不均一が生じることがない。」
　
（エ）「【図面の簡単な説明】
【０１５２】
【図１】図１は，実施例１にかかる電気光学装置の配線構造を示す平面図。
・・・（中略）・・・
【図１１】図１１は，実施例２にかかる電気光学装置の画素領域の構造を示す断面図。
【図１２】図１２は，画素領域のうちの１つの画素を模式的に示す平面図。
・・・（中略）・・・
【図１３−４】図１３−４は，電気光学装置の製造工程を示す平面図。
・・・（中略）・・・
【図１】
・・・（中略）・・・
【図１１】
【図１２】
・・・（中略）・・・
【図１３−４】
」
　
　イ　引用刊行物１に記載された発明
　前記ア（ア）ないし（エ）から，引用刊行物１には，次の発明が記載されていると認められる。
　
「基板１０と，当該基板１０上にＴＦＴなどの能動素子や配線が形成された駆動素子部２０と，有機ＥＬ薄膜が形成される機能素子部４０とからなり，
　前記駆動素子部２０が，スイッチング用ＴＦＴ１１２，駆動用ＴＦＴ１１３，その他の素子や配線を含んで構成され，
　前記機能素子部４０が，発光層と正孔注入層とからなる機能層４５と，前記機能層４５を動作させるための一対の画素電極４１及び対向電極４６と，前記機能層４５を所定の領域に形成するための隔壁５１と，前記機能層４５を周囲の雰囲気から遮断するためのシール層４７とを備える電気光学装置１であって，
　複数の走査線１０１と，走査線１０１に対して空間を隔てて略直角に交差する方向に延びる複数の信号線１０２と，信号線１０２に並列に延びる複数の電源線１０３とが，それぞれ配線された構成を有し，走査線１０１と信号線１０２の各交点に，マトリックス状に画素領域Ｂが設けられ，
　前記画素領域Ｂのそれぞれには，走査線１０１を介して走査信号がゲート電極に供給される前記スイッチング用ＴＦＴ１１２と，当該スイッチング用ＴＦＴ１１２を介して信号線１０２から供給される画素信号を保持する保持容量ｃａｐと，当該保持容量ｃａｐによって保持された画素信号がゲート電極に供給される前記駆動用ＴＦＴ１１３と，当該駆動用ＴＦＴ１１３を介して電源線１０３から駆動電流が流れ込む前記画素電極４１と，当該画素電極４１と対になる前記対向電極４６と，両者の間に挟み込まれた前記機能層４５とが設けられ，これらの画素電極４１と対向電極４６，および，機能層４５によって発光素子部が構成されており，
　前記隔壁５１は，その表面が薄膜材料液に対して良好な親液性を有するとともに開口部を有し，ＳｉＯ２膜からなる第１隔壁５２と，当該第１隔壁５２上に形成され，その表面が薄膜材料液に対して撥液性を有するとともに開口部を有し，有機材料からなる第２隔壁５３とから構成され，かつ，前記機能層４５を形成する際の液滴充填領域ＲＳを形成しており，
　前記第１隔壁５２の開口部及び前記第２隔壁５３の開口部は，いずれも，長辺部となる直線部と長手方向の両端に位置する円弧状の部分とで構成される細長い形状を呈しており，
　前記第１隔壁５２の開口上部が開口下部よりも広く形成されて，前記第１隔壁５２の側面が基板１０表面に垂直な方向に対して傾斜部５２ａを有し，，前記第２隔壁５３の開口上部も開口下部よりも広く形成されて，第２隔壁５３の側面も基板１０表面に垂直な方向に対して傾斜部５３ａを有するように形成され，
　前記第１隔壁５２の開口上部は，前記第２隔壁５３の開口下部よりも前記機能層４５の面内の中心側に位置していて，上部から見て前記第１隔壁の平坦面が露出するように前記第２隔壁５３が前記第１隔壁５２上に形成され，
　前記第１隔壁５２の開口部の円弧状の部分近傍で露出する第１隔壁の平坦面５２ｂ´は，前記第１隔壁５２の開口部の直線部近傍で露出する第１隔壁の平坦面５２ｂよりも面積が大とされて，表面が親液性を有する第１隔壁の面積が広く確保されており，
　前記第１隔壁の平坦面５２ｂ´の幅Ｌ２は，前記第１隔壁の平坦面５２ｂの幅Ｌ１よりも長く形成され，これにより前記第２隔壁５３の開口部の円弧状の部分における前記第２隔壁５３の傾斜角が直線部近傍における前記第２隔壁５３の傾斜角より小さくされており，
　前記機能層４５は，正孔輸送層を構成する材料組成物をインクジェットによる液滴吐出法を用いて前記液滴充填領域ＲＳ内に充填して乾燥させた後，発光層を構成する材料組成物をインクジェットによる液滴吐出法を用いて前記液滴充填領域ＲＳ内に充填して乾燥させて，機能層４５全体の膜厚が前記第１隔壁５２の厚みと略同等の厚みとなるように前記第１隔壁５２の開口部に形成されたものであり，
　前記第１隔壁５２に囲まれた領域が発光領域とされている，
　電気光学装置１。」（以下「引用発明」という。）
　
（２）特開２００６−１６２８８２号公報
　ア　特開２００６−１６２８８２号公報の記載
　前記当審拒絶理由で引用した特開２００６−１６２８８２号公報（以下「引用刊行物２」という。）は，本願の出願前に頒布された刊行物であって，当該引用刊行物２には次の記載がある（下線は，後述する引用刊行物２記載の技術の認定に特に関係する箇所を示す。）。
（ア）「【請求項４】
基板上にバンクが形成された表示装置用基板であって，
該バンクは，組成が共通でインク溶媒に対する接触角が異なる樹脂領域を有するものであり，かつバンク隅部のインク溶媒に対する接触角が相対的に低い
ことを特徴とする表示装置用基板。
【請求項５】
基板上にバンクが形成された表示装置用基板であって，
該バンクは，組成が共通でドライエッチング速度が異なる樹脂領域を有するものであり，かつバンク隅部のドライエッチング速度が相対的に高い
ことを特徴とする表示装置用基板。
【請求項６】
基板上にバンクが形成された表示装置用基板であって，
該バンクは，組成が共通で重量平均重合度が異なる樹脂領域を有するものであり，かつバンク隅部の重量平均重合度が相対的に小さい
ことを特徴とする表示装置用基板。」
　
（イ）「【０００９】
すなわち，本発明は，基板上にバンクが形成された表示装置用基板であって，（１）上記バンクは，組成が共通でインク溶媒に対する接触角が異なる樹脂層が積層された構造を有するものであり，かつ上層側のインク溶媒に対する接触角が相対的に高い表示装置用基板，（２）上記バンクは，組成が共通でドライエッチング速度が異なる樹脂層が積層された構造を有するものであり，かつ上層側のドライエッチング速度が相対的に遅い表示装置用基板，及び，（３）上記バンクは，組成が共通で重量平均重合度が異なる樹脂層が積層された構造を有するものであり，かつ上層側の重量平均重合度が相対的に大きい表示装置用基板のいずれか，又は，（１）〜（３）の形態を組み合わせたものである。なお，本発明の表示装置用基板では，バンクの少なくとも一部が上記（１）〜（３）の形態の特徴を有していればよく，その全体が上記（１）〜（３）の形態の特徴を有していなくてもよい。上記（１）〜（３）の形態は，いずれも上層側を下層側よりも高撥水性にしたバンク構成において実現されるものであり，この場合，バンク上層側の撥水性が高いことにより，液状の機能膜材料がバンクを乗り越えて混合することを防止することができ，また，バンク下層側（テーパ部）の親水性が高いことにより，バンク内の隅部等に未充填領域が発生することを抑制することができる。更に，本発明では，バンクが同一組成の樹脂層の積層体からなり，露光条件等の重合条件の調整等により上層側と下層側とを作り分けることができるので，生産性においても優れている。
なお，上記（１）の形態の表示装置用基板は，上記（２）及び／又は（３）の形態の表示装置用基板に対してＣＦ４等のフッ素系ガスを用いたプラズマ処理を行うことにより得ることができるものである。
【００１０】
本発明において，バンク（土手）は，複数の機能膜形成領域同士を隔てる構造物（凸物）であれば特に限定されるものではない。また，上記（１）の形態におけるインク溶媒としては，アルコール系の溶媒，例えばカルビトール系の溶媒が好適に用いられる。更に，上記（２）の形態におけるドライエッチング速度とは，Ｏ２ガスを用いたアッシングを行ったときの速度である。
上記（１）の形態において，上層側のインク溶媒に対する接触角は，５０°以上であることが好ましく，下層側のインク溶媒に対する接触角は，４０°以下であることが好ましい。上層側と下層側とのインク溶媒に対する接触角の差は，１０°以上であることが好ましい。また，上記（２）の形態において，上層側に対する下層側のドライエッチング速度の比（下本発明において，バンク（土手）は，複数の機能膜形成領域同士を隔てる構造物（凸部）であれば特に限定されるものではない。また，上記（１）の形態におけるインク溶媒としては，アルコール系の溶媒，例えばカルビトール系の溶媒が好適に用いられる。更に，上記（２）の形態におけるドライエッチング速度層側／上層側）は，１．５以上であることが好ましい。更に，上記（３）の形態において，下層側に対する上層側の重量平均重合度の比（上層側／下層側）は，１．３以上であることが好ましい。
【００１１】
本発明はまた，
基板上にバンクが形成された表示装置用基板であって，（４）上記バンクは，組成が共通でインク溶媒に対する接触角が異なる樹脂領域を有するものであり，かつバンク隅部のインク溶媒に対する接触角が相対的に低い表示装置用基板，（５）上記バンクは，組成が共通でドライエッチング速度が異なる樹脂領域を有するものであり，かつバンク隅部のドライエッチング速度が相対的に高い表示装置用基板，及び，（６）上記バンクは，組成が共通で重量平均重合度が異なる樹脂領域を有するものであり，かつバンク隅部の重量平均重合度が相対的に小さい表示装置用基板
バンク隅部とは，例えば，
バンク３１が四角形の辺を構成する場合には，四角形の頂点近傍
（４）〜（６）の形態は，いずれもバンク隅部をバンクの他の部分よりも高親水性にしたバンク構成
バンク隅部の親水性が高いことにより，バンク内の隅部に未充填領域が発生することを抑制することができる
バンクが同一組成の樹脂層からなり，露光条件等の重合条件の調整等によりバンク隅部と他の部分とを作り分ける
なお，上記（４）の形態の表示装置用基板は，上記（５）及び／又は（６）の形態の表示装置用基板に対してＣＦ４等のフッ素系ガスを用いたプラズマ処理を行うことにより得ることができるものである。
【００１２】
上記（４）の形態において，バンク隅部以外の部分のインク溶媒に対する接触角は，５０°以上であることが好ましく，バンク隅部のインク溶媒に対する接触角は，４０°以下であることが好ましい。バンク隅部以外の部分とバンク隅部とのインク溶媒に対する接触角の差は，１０°以上であることが好ましい。また，上記（５）の形態において，バンク隅部以外の部分に対するバンク隅部のドライエッチング速度の比（バンク隅部／バンク隅部以外の部分）は，１．５以上であることが好ましい。更に，上記（６）の形態において，バンク隅部に対するバンク隅部以外の部分の重量平均重合度の比（バンク隅部以外の部分／バンク隅部）は，１．３以上であることが好ましい。
【００１３】
本発明では，上記
バンクは，光硬化性及び熱硬化性を有する樹脂により形成
バンク樹脂材料の隅部とバンク樹脂材料の隅部以外の部分との光照射量に差をつけ（光照射量：隅部以外の部分＞隅部），現像，焼成（熱硬化），フッ素プラズマ処理という一連の処理を行う
また，上記バンクは，遮光性を有することが好ましい。この場合，バンクを遮光部材として利用することが可能であり，例えば，液晶表示装置等で用いられるカラーフィルタ基板のブラックマトリクスとしてバンクを利用することができる。
【００１４】
本発明の表示装置用基板は，更にインク固化物により構成される
機能膜がバンク内に設けられた
インクジェット装置により吐出可能な液状材料（インク）を乾燥固化させ
機能膜としては
有機エレクトロルミネセンス表示装置における発光層や正孔輸送層等の有機層
・・・（中略）・・・
【００１６】
本発明は更に，基板上にバンクが形成された表示装置用基板の製造方法であって，上記表示装置用基板の製造方法は，少なくとも，バンク樹脂材料の表面（上層側）を半硬化させる工程と，バンク樹脂材料を本硬化させる工程と，バンク表面に撥水性及び／又は親水性を付与する表面処理を施す工程とを含む表示装置用基板の製造方法でもある。このような本発明の表示装置用基板の製造方法は，上記（１）〜（３）の形態の本発明の表示装置用基板を製造するのに好適である。
本発明は更に，基板上にバンクが形成された表示装置用基板の製造方法であって，上記表示装置用基板の製造方法は，少なくとも，
光硬化性を有するバンク樹脂材料の隅部以外の部分の硬化度が隅部の硬化度よりも大きくなるように光照射量を変化させて露光する工程（半硬化工程）と，バンク樹脂材料を本硬化させる工程と，バンク表面に撥水性及び／又は親水性を付与する表面処理を施す工程とを
なお，上記
半硬化とは，バンク材料樹脂のバンクパターンに対応する部分のうち
隅部
のみを部分的に硬化させる
本硬化とは，バンク樹脂材料のバンクパターンに対応する部分を全体的に硬化させる
これらの本発明の表示装置用基板の製造方法によれば，
バンクを構成する樹脂材料（バンク樹脂材料）の半硬化及び本硬化を行った部分と本硬化のみを行った部分とでは，重量平均重合度及びドライエッチング速度等の特性に差が生じ，表面処理を行うことで，親撥水性（接触角）に差が生じる
バンク内の隅部等に未充填領域が発生することを抑制
【００１７】
本発明では，上記
半硬化工程は，マスク越しの光照射によりバンク樹脂材料を半硬化させる
本硬化工程は，基板両面からの光照射又は焼成によりバンク樹脂材料を本硬化させる
【００１８】
また，上記
表面処理工程は，酸素分圧を２０％以下にしたフッ素系ガスを用いたプラズマ処理により行われる
更に，本発明の表示装置用基板の製造方法は，インクジェット装置を用いてバンク内にインク材料を塗布する工程を有することが好ましい。これにより，本発明の作用効果を充分に奏することが可能である。
【００１９】
本発明はそして，
上記表示装置用基板
を備えてなる
有機エレクトロルミネセンス表示装置
　
（ウ）「【発明の効果】
【００２０】
本発明の表示装置用基板によれば，インク溶媒に対する接触角，ドライエッチング速度及び重量平均重合度の少なくとも１つが異なる領域を有する単一組成の樹脂によりバンクが形成されていることから，インクジェット法等の塗布法による機能膜の形成に際し，液状の機能膜材料がバンクを乗り越えて混合することを防止しつつ，バンク内の隅部に未充填領域が発生することを抑制することができる。更に，露光条件等の重合条件の調整等により領域を作り分けることができるので，生産性においても優れている。」
　
（エ）「【図面の簡単な説明】
【００４３】
・・・（中略）・・・
【図７】バンク隅部を説明する平面模式図である。
・・・（中略）・・・
」
　
　イ　引用刊行物２に記載された技術的事項
　前記ア（ア）ないし（エ）から，引用刊行物２には次の技術的事項が記載されていると認められる。
　
「表示装置用基板上に形成されたバンク内に発光層や正孔輸送層等の有機機能層を形成する有機エレクトロルミネセンス表示装置において，
　インクジェット装置により液状材料（インク）を前記バンク内に吐出し，乾燥固化させて，前記有機機能層を形成する際に，四角形の頂点近傍等のバンク隅部に未充填領域が発生することを抑制するために，
　前記バンクについて，光硬化性及び熱硬化性を有する樹脂により樹脂層を形成し，当該樹脂層のバンクパターンに対応する部分のうち前記バンク隅部のみを，マスク越しの光照射により部分的に硬化させてから，バンクパターンに対応する部分を全体的に硬化させ，その後，酸素分圧を２０％以下にしたフッ素系ガスを用いたプラズマ処理によりバンク表面に撥水性及び／又は親水性を付与するという方法によって形成することで，バンク隅部をバンク隅部以外の部分よりも高親水性にするという手段を採用すること。」（以下「引用刊行物２記載の技術」という。）
　
５　対比
　本願発明と引用発明とを対比する。
（１）引用発明の「発光領域」，「電気光学装置１」，「第１隔壁５２」，「第２隔壁５３」及び「機能層４５」中の「発光層」は，本願発明の「発光領域」，「電気光学装置」，「第１のバンク」，「第２のバンク」及び「発光層」にそれぞれ相当する。
　
（２）引用発明では，複数の走査線１０１と，走査線１０１に対して空間を隔てて略直角に交差する方向に延びる複数の信号線１０２の各交点に，マトリックス状に画素領域Ｂが設けられ，当該各画素領域Ｂにはそれぞれ発光層を含む機能層４５が設けられて，当該機能層４５は第１隔壁５２の開口部に形成されるところ，当該第１隔壁５２の開口部とはすなわち第１隔壁５２に囲まれた領域にほかならず，当該第１の隔壁５２の開口部が発光領域となるのであるから，複数の発光領域が，画素領域Ｂと同様に，２次元にマトリックス配列されていることは明らかである。
　ここで，２次元にマトリックス配列された前記複数の発光領域のうち，一つの発光領域に注目すると，当該発光領域には，第１隔壁５２の開口部の直線部が延びる方向と直交する方向（以下，便宜上「第１隔壁５２の開口部の短手方向」という。）に隣接する発光領域と，第１隔壁５２の開口部の長手方向（すなわち，直線部が延びる方向に平行な方向）に隣接する発光領域とが存在するのであって，注目した「一つの発光領域」を「第１の発光領域」と，「第１隔壁５２の開口部の短手方向に隣接する発光領域」を「第２の発光領域」と，「第１隔壁５２の開口部の長手方向に隣接する発光領域」を「第３の発光領域」と，「第１隔壁５２の開口部の短手方向」を「第１の方向」と，「第１隔壁５２の開口部の長手方向」を「第２の方向」ということができるから，引用発明は，「第１の発光領域，第２の発光領域および第３の発光領域を有し，前記第２の発光領域は，第１の方向において，前記第１の発光領域と隣り合って配置され，前記第３の発光領域は，前記第１の方向とは異なる第２の方向において，前記第１の発光領域と隣り合って配置された」という本願発明の発明特定事項に相当する構成を具備している。
　
（３）引用発明においては，第１隔壁５２で囲まれた領域が発光領域となるのであって，「第１隔壁５２」（第１のバンク）が，前記（２）で述べた「第１の発光領域」，「第２の発光領域」及び「第３の発光領域」を区画しているということができる。
　したがって，引用発明は，「前記第１の発光領域，前記第２の発光領域および前記第３の発光領域を区画するように設けられた第１のバンク」を備えるという本願発明の発明特定事項に相当する構成を具備している。
　
（４）引用発明の「第２隔壁５３」（第２のバンク）は，「第１隔壁５２」（第１のバンク）上に形成されているから，本願発明の「第２バンク」と引用発明の「第２隔壁５３」は，「第１のバンク上に配置される」点で一致する。
　
（５）引用発明において，「発光領域」（発光領域）となる第１隔壁５２の各開口部には，「発光層」（発光層）と正孔注入層とからなる機能層４５がそれぞれ形成されているから，引用発明は，「前記第１のバンクに区画された各々の発光領域に設けられた発光層」を備えるという本願発明の発明特定事項に相当する構成を具備している。
　
（６）前記（２）で述べたとおり，引用発明においては，第１隔壁５２の開口部が発光領域となるところ，当該第１隔壁５２の開口部は，長辺部となる「直線部」と長手方向の両端に位置する「円弧状の部分」とで構成される細長い形状を呈していて，前記「直線部」は「第１隔壁５２の開口部の長手方向」（第２の方向）に沿って延び，前記「円弧状の部分」は「第１隔壁５２の開口部の短手方向」（第１の方向）に沿って延びているということができ，前記「直線部」を「直線状の第１の辺」と，前記「円弧状の部分」を「第１の辺より短い円弧状である第２の辺」ということができるから，引用発明の各発光領域は，「直線状の第１の辺」（直線部）と「第１の辺より短い円弧状である第２の辺」（円弧状の部分）とを有しており，前記「直線状の第１の辺」は「第２の方向」（第１隔壁５２の開口部の長手方向）に沿って延び，前記「第１の辺より短い円弧状である第２の辺」は「第１の方向」（第１隔壁５２の開口部の短手方向）に沿って延びているということができる。
　したがって，引用発明は，「各々の前記発光領域は，前記第２の方向に沿った直線状の第１の辺と，前記第１の方向に沿った前記第１の辺より短い円弧状である第２の辺と，を有」するという本願発明の発明特定事項に相当する構成を具備している。
　
（７）引用発明において，第２隔壁５３の開口部以外の箇所には第２隔壁５３が存在するところ，前記（２）で述べた「第１の発光領域」（一つの発光領域）となる第１隔壁５２の開口部の「直線部」（第１の辺）と，「第２の発光領域」（第１隔壁５２の開口部の短手方向に隣接する発光領域）となる第１隔壁５２の開口部の「直線部」（第１の辺）との間の「第２隔壁５３」（第２のバンク）を「第１の部分」と，「第１の発光領域」（一つの発光領域）となる第１隔壁５２の開口部の「円弧状の部分」（第２の辺）と，「第３の発光領域」（第１隔壁５２の開口部の長手方向に隣接する発光領域）となる第１隔壁５２の開口部の「円弧状の部分」（第２の辺）との間の「第２隔壁５３」（第２のバンク）を「第２の部分」ということができる。
　したがって，引用発明は，「前記第２のバンクは，前記第１の発光領域の前記第１の辺と前記第２の発光領域の前記第１の辺との間の第１の部分と，前記第１の発光領域の前記第２の辺と前記第３の発光領域の前記第２の辺との間の第２の部分と，を有」するという本願発明の発明特定事項に相当する構成を具備している。
　
（８）前記（１）ないし（７）のとおりであるから，本願発明と引用発明とは，
「第１の発光領域，第２の発光領域および第３の発光領域を有し，前記第２の発光領域は，第１の方向において，前記第１の発光領域と隣り合って配置され，前記第３の発光領域は，前記第１の方向とは異なる第２の方向において，前記第１の発光領域と隣り合って配置された電気光学装置であって，
　前記第１の発光領域，前記第２の発光領域および前記第３の発光領域を区画するように設けられた第１のバンクと，
　前記第１のバンク上に配置された第２のバンクと，
　前記第１のバンクに区画された各々の発光領域に設けられた発光層と，を備え，
　各々の前記発光領域は，前記第２の方向に沿った直線状の第１の辺と，前記第１の方向に沿った前記第１の辺より短い円弧状である第２の辺と，を有し，
　前記第２のバンクは，前記第１の発光領域の前記第１の辺と前記第２の発光領域の前記第１の辺との間の第１の部分と，前記第１の発光領域の前記第２の辺と前記第３の発光領域の前記第２の辺との間の第２の部分と，を有する電気光学装置。」
である点で一致し，次の点で相違する。
　
相違点１：
　本願発明では，「第２のバンク」が第１の発光領域及び第３の発光領域と第２の発光領域とを区画するように設けられているのに対して，
　引用発明では，発光層を含む機能層４５全体の膜厚が第１隔壁５２の厚みと略同等の厚みとなるように形成されていて，「第２隔壁５３」の開口部は発光領域となっていないから，「第２隔壁５３」が第１の発光領域及び第３の発光領域と第２の発光領域とを区画するよう設けられているとはいえない点。
　
相違点２：
　本願発明では，「第２のバンク」の「第１の部分」及び「第２の部分」について，第１の部分の液体に対する撥液性が第２の部分の液体に対する撥液性よりも高いのに対して，
　引用発明では，「第２隔壁５３」の「第１の部分」及び「第２の部分」について，それらの液体に対する撥液性に違いはない点。
　
６　判断
（１）相違点１の容易想到性について
　ア　例えば，特開２００６−２７８１０１号公報（【００２７】，【００３０】ないし【００３３】，図９等を参照。），特開２００６−２５３４４３号公報（【００２４】，【００３１】，【００３２】，【００３６】，【００３７】，図２等を参照。），特開２００３−２４９３７７号公報（【００４０】，【００４４】，【００４６】，【００４７】，図１９等を参照。）等の記載からみて，「基板上に形成された撥液性の低い第１隔壁と，当該第１隔壁上に形成され，当該第１隔壁よりも撥液性の高い第２隔壁とによって囲まれた開口部に，発光層を含む機能層を形成する有機ＥＬ装置であって，前記機能層の厚さが第１バンクの厚さよりも大きく，当該機能層が前記第１隔壁と第２隔壁とに接して形成される構成を有する有機ＥＬ装置。」（以下「周知技術」という。）は，本願出願前に周知であったと認められる。
　
　イ　引用発明は，機能層４５全体の膜厚が前記第１隔壁５２の厚みと略同等の厚みとなるように形成されたものであって，当該機能層４５が第１隔壁５２の開口部のみに形成されたものであるが，前記アからみて，発光層または第１隔壁５２の膜厚等を変更することによって，機能層４５全体の膜厚を第１隔壁５２の厚みよりも大きなものとし，発光層が第１隔壁５２の開口部と第２隔壁５３の開口部の一部とにわたって形成されるような構成のものとすることは，当業者が適宜行う設計変更というほかない。
　
　ウ　前記イの「機能層４５が第１隔壁５２の開口部と第２隔壁５３の開口部の一部とにわたって形成されるような構成のものとする」という構成の変更を行った引用発明では，発光層が第１隔壁５２と第２隔壁５３とによって他の発光層と区画されることとなり，当該発光層が形成された領域を発光領域ということができるから，引用発明において前記イの構成の変更を行うことは，引用発明を「第２隔壁５３」（第２のバンク）が「第１の発光領域」及び「第３の発光領域」と「第２の発光領域」とを区画するように構成すること，すなわち，引用発明を，相違点１に係る本願発明の発明特定事項に相当する構成を具備したものとすることにほかならない。
　したがって，引用発明を，相違点１に係る本願発明の発明特定事項に相当する構成を具備したものとすることは，当業者が適宜行う設計変更である。
　
（２）相違点２の容易想到性について
　ア　引用刊行物１の【０００３】，【０００７】，【０１００】，【０１０６】等の記載から理解できるように，引用発明は，基板上の互いに隣接する画素間に隔壁が設けられ，当該隔壁の開口部に有機ＥＬ薄膜が形成された電気光学装置において，長手方向両端に円弧状の部分を有する細長い形状を呈する隔壁の開口部に，インクジェットプロセスにより薄膜材料液滴を充填して有機ＥＬ薄膜を形成する際に，薄膜材料液滴が中央近傍に溜まってしまい，長手方向の両端部近傍で有機ＥＬ薄膜の膜厚が薄くなり，中央では膜厚が厚くなってしまうことで，１つの画素内における発光輝度の不均一が生じるという問題を解決するために，「第１隔壁５２の開口部の円弧状の部分近傍で露出する第１隔壁の平坦面５２ｂ´は，第１隔壁５２の開口部の直線部近傍で露出する第１隔壁の平坦面５２ｂよりも面積が大とされて，表面が親液性を有する第１隔壁の面積が広く確保されて」いるという構成を採用することで，発光層４５ｂの薄膜材料液が，面積が広く確保された略半円状の第１隔壁の平坦面５２ｂ´により開口部の外周側に強く引っ張られながら乾燥するようにし，さらに，「第１隔壁の平坦面５２ｂ´の幅Ｌ２は，第１隔壁の平坦面５２ｂの幅Ｌ１よりも長く形成され，これにより前記第２隔壁４４の開口部の円弧状の部分における前記第２隔壁４４の傾斜角が直線部近傍における前記第２隔壁４４の傾斜角より小さくされて」いるという構成を採用することで，薄膜材料を含む液面と第１隔壁により囲まれた薄膜形成領域との間隔を遠ざけるようにするという手段を採用したものである。
　また，引用刊行物１の【０００７】，【００５３】，【００５７】ないし【００５９】，【００８４】，【００８５】等には，引用発明の「長手方向両端に円弧状の部分を有する細長い形状を呈する隔壁の開口部」ばかりでなく，「角部を有する略矩形の隔壁の開口部」における角部についても同様の対策を講じる必要があることが記載されている。
　しかるに，前記４（２）イで認定したとおり，引用刊行物２記載の技術は，表示装置用基板上に形成されたバンク内に発光層や正孔輸送層等の有機機能層を形成する有機エレクトロルミネセンス表示装置において，インクジェット装置により液状材料（インク）を前記バンク内に吐出し，乾燥固化させて，前記機能層を形成する際に，四角形の頂点（前述の引用刊行物１に記載された「角部を有する略矩形の隔壁の開口部」における角部に該当する。）近傍等のバンク隅部に未充填領域が発生するという，引用発明が解決しようとする問題と同じ問題を解決するために，「バンクについて，光硬化性及び熱硬化性を有する樹脂により樹脂層を形成し，当該樹脂層のバンクパターンに対応する部分のうち前記バンク隅部のみを，マスク越しの光照射により部分的に硬化させてから，バンクパターンに対応する部分を全体的に硬化させ，その後，酸素分圧を２０％以下にしたフッ素系ガスを用いたプラズマ処理によりバンク表面に撥水性及び／又は親水性を付与するという方法によって形成することで，バンク隅部をバンク隅部以外の部分よりも高親水性にする」という手段を採用する技術である。
　そうすると，引用発明において，長手方向両端に円弧状の部分を有する細長い形状を呈する隔壁の開口部に，インクジェットプロセスにより薄膜材料液滴を充填して有機ＥＬ薄膜を形成する際に，薄膜材料液滴が中央近傍に溜まってしまい，長手方向の両端部近傍で有機ＥＬ薄膜の膜厚が薄くなり，中央では膜厚が厚くなってしまうことで，１つの画素内における発光輝度の不均一が生じるという問題を解決する手段として，「第１隔壁５２の開口部の円弧状の部分近傍で露出する第１隔壁の平坦面５２ｂ´は，第１隔壁５２の開口部の直線部近傍で露出する第１隔壁の平坦面５２ｂよりも面積が大とされて，表面が親液性を有する第１隔壁の面積が広く確保されているという構成を採用することで，発光層４５ｂの薄膜材料液が，面積が広く確保された略半円状の第１隔壁の平坦面５２ｂ´により開口部の外周側に強く引っ張られながら乾燥するようにし，さらに，第１隔壁の平坦面５２ｂ´の幅Ｌ２は，第１隔壁の平坦面５２ｂの幅Ｌ１よりも長く形成され，これにより前記第２隔壁４４の開口部の円弧状の部分における前記第２隔壁４４の傾斜角が直線部近傍における前記第２隔壁４４の傾斜角より小さくされているという構成を採用することで，薄膜材料を含む液面と第１隔壁により囲まれた薄膜形成領域との間隔を遠ざけるようにするという手段」に代えて（あるいは，当該手段に加えて），引用刊行物２記載の技術における「バンクについて，光硬化性及び熱硬化性を有する樹脂により樹脂層を形成し，当該樹脂層のバンクパターンに対応する部分のうち前記バンク隅部のみを，マスク越しの光照射により部分的に硬化させてから，バンクパターンに対応する部分を全体的に硬化させ，その後，酸素分圧を２０％以下にしたフッ素系ガスを用いたプラズマ処理により，バンク表面に撥水性及び／又は親水性を付与するという方法によって形成することで，バンク隅部をバンク隅部以外の部分よりも高親水性にする」という手段を採用し，もって，有機材料からなる第２隔壁５３における開口部の長手方向両端の円弧状の部分近傍が直線部近傍よりも高親水性となる構成とすることは，引用刊行物２の記載に基づいて当業者が容易になし得たことである。
　
　イ　前記アの，引用発明において，引用刊行物２記載の技術における問題解決手段を採用して，第２隔壁５３における開口部の長手方向両端の円弧状の部分近傍が直線部近傍よりも高親水性となる構成とすることは，「第２のバンク」（第２隔壁５３）の「第１の部分」（「直線部」間に位置する部分）の液体に対する撥液性を「第２の部分」（「円弧状の部分」間に位置する部分）の液体に対する撥液性よりも高いものとすること，すなわち，相違点２に係る本願発明の発明特定事項に相当する構成を具備したものとすることにほかならない。
　したがって，引用発明を，相違点２に係る本願発明の発明特定事項に相当する構成を具備したものとすることは，引用刊行物２記載の技術に基づいて当業者が容易になし得たことである。
　
（３）効果について
　本願発明の奏する効果は，引用刊行物１及び２の記載及び周知技術に基づいて，当業者が予測できた程度のものである。
　
（４）まとめ
　以上のとおりであるから，本願発明は，当業者が引用発明，引用刊行物２記載の技術及び周知技術に基づいて容易に発明をすることができたものである。
　
７　むすび
　本願発明は，当業者が引用発明，引用刊行物２記載の技術及び周知技術に基づいて容易に発明をすることができたものであるから，特許法２９条２項の規定により特許を受けることができない。
　したがって，本願は，他の請求項について検討するまでもなく，当審拒絶
理由によって拒絶すべきものである。
　よって，結論のとおり審決する。